【手続補正書】
【提出日】令和3年3月5日(2021.3.5)
【手続補正１】
【補正対象書類名】特許請求の範囲
【補正対象項目名】全文
【補正方法】変更
【補正の内容】
【特許請求の範囲】
【請求項１】
第１及び第２のネットワークインタフェースを有する情報処理装置であって、
前記第１のネットワークインタフェースに対応する第１管理情報と前記第２のネットワークインタフェースに対応する第２管理情報を含む管理情報を記憶する記憶手段を有し、
前記管理情報の変更が前記第１のネットワークインタフェースを介して行われる場合は、前記第１管理情報の変更を許容し、前記第２管理情報の変更を制限するよう制御し、前記管理情報の変更が前記第２のネットワークインタフェースを介して行われる場合は、前記第２管理情報の変更を許容し、前記第１の理情報の変更を制限するよう制御する制御手段と、
を有することを特徴とする情報処理装置。
【請求項２】
前記管理情報の変更を行うための画面を取得する取得要求を前記第１のネットワークインタフェースを介して受信した場合、前記制御手段は、前記第１管理情報を変更するための表示アイテムを含み、前記第２管理情報を変更するための表示アイテムを含まない画面を前記取得要求の送信元に提供することで、前記第１のネットワークインタフェースを介して前記第２管理情報が変更されることを制限することを特徴とする請求項１に記載の情報処理装置。
【請求項３】
前記情報処理装置が前記第１管理情報に対する前記第２のネットワークインタフェースからの変更と、前記第２管理情報に対する前記第１のネットワークインタフェースからの変更が行えない第１の設定と、前記情報処理装置が前記第１管理情報に対する前記第２のネットワークインタフェースからの変更と、前記第２管理情報に対する前記第１のネットワークインタフェースからの変更が行える第２の設定のいずれか一方を動作設定として設定する設定手段をさらに有することを特徴とする請求項１に記載の情報処理装置。
【請求項４】
前記管理情報の変更を行うための画面を取得する取得要求に含まれる識別情報に基づき、特定の権限を有するユーザによる前記画面の取得要求であると判断した場合、前記制御手段は、前記第１のインタフェースを介して前記管理情報の変更が行われる場合であっても、前記画面を介したユーザ操作によって、第１管理情報及び前記第２管理情報が変更されることを許容するように制御することを特徴とする請求項３に記載の情報処理装置
【請求項５】
前記特定の権限は管理者権限であり、
前記設定手段は、前記管理者権限を有するユーザの操作を受け付けたことに基づき、前記第１設定又は前記第２の設定のいずれか一方を設定することを特徴とする請求項４に記載の情報処理装置。
【請求項６】
前記第１管理情報は、前記第１のネットワークインタフェースのネットワーク設定であり、前記第２管理情報は、前記第２のネットワークインタフェースのネットワーク設定であることを特徴とする請求項１乃至５のいずれか１項に記載の情報処理装置。
【請求項７】
前記情報処理装置は、データを外部に送信する送信機能を更に有し、
前記第１管理情報は、前記第１のネットワークインタフェースに対応付けられた第１アドレス帳の管理情報であり、前記第２管理情報は、前記第２のネットワークインタフェースに対応付けられた第２アドレス帳の管理情報であることを特徴とする請求項１乃至６のいずれか１項に記載の情報処理装置。
【請求項８】
前記情報処理装置は、印刷装置であることを特徴とする請求項１乃至６のいずれか１項に記載の情報処理装置。
【請求項９】
第１及び第２のネットワークインタフェースを有する情報処理装置であって、
前記第１ネットワークインタフェースに関連付けられた第１情報と前記第２ネットワークインタフェースに関連付けられた第２情報を記憶する記憶手段と、
画面を取得する取得要求を外部から受信したことに従って、当該取得要求に対応する画面を前記取得要求の送信元に提供する提供手段と、を有し、
前記提供手段による当該画面の提供では、前記第１ネットワークインタフェースを介して受信した取得要求の応答としては、前記第２情報に対応する表示コンテンツを含む画面は提供されず、且つ、前記第２のネットワークインタフェースを介して受信した取得要求の応答としては、前記第１情報に対応する表示コンテンツを含む画面は提供されないことを特徴とする情報処理装置。
【請求項１０】
特定の画面を取得する第１の取得要求を前記第１のネットワークインタフェースを介して受信した場合、前記提供手段は、前記第１情報に対応する表示コンテンツを含み、前記第２情報に対応する表示コンテンツを含まない画面を前記第１の取得要求の送信元に提供するよう制御し、
前記特定の画面を取得する第２の取得要求を前記第２のネットワークインタフェースを介して受信した場合、前記提供手段は、前記第２情報に対応する表示コンテンツを含み、前記第１情報に対応する表示コンテンツを含まない画面を前記第２の取得要求の送信元に提供するよう制御しすることを特徴とする請求項９に記載の情報処理装置。
【請求項１１】
前記第１情報は、前記第１のネットワークインタフェースのネットワーク設定を示す情報であり、前記第２情報は、前記第２のネットワークインタフェースのネットワーク設定を示す情報であることを特徴とする請求項９又は１０に記載の情報処理装置。
【請求項１２】
前記情報処理装置は、データを外部に送信する送信機能を更に有し、
前記第１情報は、前記第１のネットワークインタフェースに関連付けられた第１アドレス帳を示す情報であり、前記第２情報は、前記第２のネットワークインタフェースに関連付けられた第２アドレス帳を示す情報であることを特徴とする請求項９又は１０に記載の情報処理装置。
【請求項１３】
前記情報処理装置は、外部から受信した所定タイプのデータに基づき当該受信した所定タイプのデータを処理するジョブを実行することができるジョブ処理装置であり、
前記第１情報は、前記第１のネットワークインタフェースを介して受信した所定タイプのデータに関連する情報であり、前記第２情報は前記第２のネットワークインタフェースを介して受信した所定タイプのデータに関連する情報であることを特徴とする請求項９又は１０に記載の情報処理装置。
【請求項１４】
前記所定タイプのデータは印刷データであり、前記所定タイプのデータに関連する情報は、当該印刷データに基づき実行されたジョブの履歴を示す情報であることを特徴とする請求項１３に記載の情報処理装置。
【請求項１５】
第１及び第２のネットワークインタフェースと、前記第１のネットワークインタフェースに対応する第１管理情報と前記第２のネットワークインタフェースに対応する第２管理情報を含む管理情報を記憶する記憶手段と、を有する情報処理装置の制御方法であって、
前記管理情報の変更が前記第１のネットワークインタフェースを介して行われる場合は、前記第１管理情報の変更を許容し、前記第２管理情報の変更を制限するよう制御し、前記管理情報の変更が前記第２のネットワークインタフェースを介して行われる場合は、前記第２管理情報の変更を許容し、前記第１の理情報の変更を制限するよう制御する制御手段を有することを特徴とする情報処理装置の制御方法。
【請求項１６】
第１及び第２のネットワークインタフェースと、前記第１ネットワークインタフェースに関連付けられた第１情報と前記第２ネットワークインタフェースに関連付けられた第２情報を記憶する記憶手段と、を有する情報処理装置の制御方法であって、
画面を取得する取得要求を外部から受信したことに従って、当該取得要求に対応する画面を前記取得要求の送信元に提供する提供工程を有し、
前記提供工程による当該画面の提供では、前記第１ネットワークインタフェースを介して受信した取得要求の応答としては、前記第２情報に対応する表示コンテンツを含む画面は提供されず、且つ、前記第２のネットワークインタフェースを介して受信した取得要求の応答としては、前記第１情報に対応する表示コンテンツを含む画面は提供されないことを特徴とする情報処理装置の制御方法。
【請求項１７】
請求項１５又は１６に記載の情報処理装置の制御方法をコンピュータに実行させるためのプログラム。
【手続補正２】
【補正対象書類名】明細書
【補正対象項目名】０００７
【補正方法】変更
【補正の内容】
【０００７】
本発明は上記の課題の少なくとも１つを鑑みなされたものであり、本発明の目的の１つは複数のネットワークインタフェースを持つ情報処理装置において、煩わしい管理を必要とせずに、特定のグループに関する情報が他のグループのユーザに変更されないように制御する又は当該情報を他のグループのユーザに提供しないよう制御する仕組みを提供することである。
【手続補正３】
【補正対象書類名】明細書
【補正対象項目名】０００８
【補正方法】変更
【補正の内容】
【０００８】
本発明の１つの側面としての情報処理装置は、第１及び第２のネットワークインタフェースを有する情報処理装置であって、前記第１のネットワークインタフェースに対応する第１管理情報と前記第２のネットワークインタフェースに対応する第２管理情報を含む管理情報を記憶する記憶手段を有し、前記管理情報の変更が前記第１のネットワークインタフェースを介して行われる場合は、前記第１管理情報の変更を許容し、前記第２管理情報の変更を制限するよう制御し、前記管理情報の変更が前記第２のネットワークインタフェースを介して行われる場合は、前記第２管理情報の変更を許容し、前記第１の理情報の変更を制限するよう制御する制御手段と、を有することを特徴とする。また、本発明の別の側面としての情報処理装置は、第１及び第２のネットワークインタフェースを有する情報処理装置であって、前記第１ネットワークインタフェースに関連付けられた第１情報と前記第２ネットワークインタフェースに関連付けられた第２情報を記憶する記憶手段と、画面を取得する取得要求を外部から受信したことに従って、当該取得要求に対応する画面を前記取得要求の送信元に提供する提供手段と、を有し、前記提供手段による当該画面の提供では、前記第１ネットワークインタフェースを介して受信した取得要求の応答としては、前記第２情報に対応する表示コンテンツを含む画面は提供されず、且つ、前記第２のネットワークインタフェースを介して受信した取得要求の応答としては、前記第１情報に対応する表示コンテンツを含む画面は提供されないことを特徴とする。
【手続補正４】
【補正対象書類名】明細書
【補正対象項目名】０００９
【補正方法】変更
【補正の内容】
【０００９】
本発明の１つの側面によれば、複数のネットワークインタフェースを持つ情報処理装置において、煩わしい管理を必要とせずに特定のグループの管理情報が他のグループのユーザに変更されないように制御する、又は当該情報を他のグループのユーザに提供しないよう制御することができるようになる。